(57)【特許請求の範囲】
【請求項１】
１面のテーブル式定盤上に、内部にそれぞれ加熱シール手段を備える２基の耐圧蓋を開閉自在に並設すると共に、前記各耐圧蓋の内部空間個々と１基の真空ポンプとを繋ぐ２本の真空ラインそれぞれに、電磁切換え式の開閉弁及び同大気圧弁からなる真空弁を介設する一方、前記両耐圧蓋それぞれにリミットスイッチを設置し、これら両耐圧蓋の交互封鎖に対応して前記両リミットスイッチそれぞれにより、前記各真空弁を操作して封鎖中の各耐圧蓋内に一定時間の真空と大気圧とを、一定の時間的ずれをもって交互に作用させるダブル式真空包装装置であって、
一側の、前記開閉弁の開放と同時に一側のタイマーを作動させ、そのタイマーの経時積算中は他側の前記真空弁の働きを抑えて、同タイマーの経時積算が終了するまでの間、一側の前記耐圧蓋内部の真空吸引を行って同真空吸引が停止すると同時に、同じ一側の大気圧弁の閉鎖状態を維持して行う前記加熱シールと併行して、前記他側の開閉弁の開放により同じ他側の耐圧蓋内部に真空吸引を開始するものであり、前記他側の開閉弁の開放と同時に他側のタイマーを作動させ、そのタイマーの経時積算終了までの間、前記一側の真空弁の働きを抑える構成のダブル式真空包装装置。
【発明の詳細な説明】
【０００１】
【発明の属する技術分野】
本発明は、２基の耐圧真空チャンバーを真空ライン交互に接続して被包装物を真空包装する装置に関する。
【０００２】
【発明が解決しようとする課題】
密封した包装用耐圧チャンバーを真空ラインに切換えると、真空ゲージは２〜３秒間で殆ど−0.1MPsを表示するが、かかる数値はあくまでも見かけ数値であって、耐圧チャンバー内面を見ると、チャンバー内側のミクロな無数の窪みにはそれぞれ気泡が付着するので、これら気泡を次々と破壊して残留空気を吸引しきるのには暫く真空を保持する必要があるし、前記チャンバー内に真空包装を施すための被包装物を収容している場合は、同被包装物内部の残留気泡をも引き出さなければならないので、真空包装のためには耐圧チャンバー内を大体１０秒間程度、吸引状態に保持する必要がある。
【０００３】
従来、特開昭５７−１２５１１７号公報に示すダブル式の真空包装機は、２面の定盤上に１基の耐圧蓋を配置し、前記２面の内の一側面に、前記耐圧蓋を被せ内部の被包装物に１０秒間程度真空を作用させている最中、他側面に被包装物を収容した包袋を並べる準備作業を行い、当該面に耐圧蓋を被せたときは別側面に被包装物を収容した包袋を並べる作業を行う、というように、１基の蓋を左右２面に１０秒間づつ交互に被せて真空包装を行なう構成であるが、かかるダブル式真空包装機では耐圧蓋を他側面に被せない限り同他側面での真空吸引を行なえず、能率面で問題がある。
【０００４】
【その解決手段】
そこで本発明は、より能率的なダブル式真空包装装置を開示するもので、１面のテーブル式定盤上に、内部にそれぞれ加熱シール手段を備える２基の耐圧蓋を並設すると共に、前記各耐圧蓋の内部空間個々と１基の真空ポンプとを繋ぐ２本の真空ラインそれぞれに真空弁を介設し、各耐圧蓋の交互封鎖に対応して閉路する開閉器により前記両真空弁を通して両耐圧蓋内に交互に真空を作用させるダブル式真空包装機であって、一側の耐圧蓋内部の真空吸引終了と同時に、他側の耐圧蓋内部に対する真空吸引が開始するように、前記両真空弁を交互に切換える手段を備えて構成する。
【０００５】
テーブル式定盤上の一側の耐圧蓋を封鎖し内部空間内に被包装物を密封すると、それと同時に同空間に対しては真空吸引が開始されるが、その真空吸引時間を利用して、他側の耐圧蓋下に別個の被包装物を収容した包袋を配列し且つその上に耐圧蓋を被せて密封する。先の真空吸引がタイマーあるいは真空計による設定時間に達すると、真空弁を構成するメイン開閉弁が一側の真空ラインを閉鎖し、袋口に対するシール工程を継続しながら、他側のメーン開閉弁を開放して他側の耐圧蓋の真空吸引を開始する。先のシール工程は２〜３秒間で完了するのでタイマーは大気弁の開放で一側の耐圧蓋を開放し、内部からの包装体の排除及び新しい被包装物の搬入準備を整えるのである。結局、両耐圧蓋におけるシール工程開始前に他側の耐圧蓋の真空を開始するから、前記シール工程相当時間分だけ真空サイクルを短縮でき、能率アップができるのである。
【０００６】
【発明の実施形態】
図１に示すテーブル式定盤１０上の左右一対の耐圧蓋１１、１２は、一側を封鎖するとき他側は開放して使用するもので、前記耐圧蓋の断面は、図２のごとく定盤１０上に立設したブラケット１３に対し、前記耐圧蓋１１背部のピン１４を枢支すると共に、耐圧蓋１１に固定するレバー１５の上端ピン１６と、定盤１０の側面に固定するピン１７との間に引っ張りバネ１８を設置する。前記バネ１８の収縮力は耐圧蓋１１を定盤１０に密着させる方向に働くが、前記レバーが仮想線１５aのごとく中立線１９を越えると前記バネ１８は、耐圧蓋１１を定盤１０から引き離す方向に付勢する。
【０００７】
図１における両耐圧蓋１１、１２の内部空間と、１基の真空ポンプ２０とを連結する真空ライン２１、２２には、それぞれ電磁式の真空弁２３、２４を介設するが、これら真空弁はそれぞれメーン開閉弁３１、３２と、大気弁３３、３４とが形成し、詳しくは後述するが、これら各弁の切換えのタイミングはタイマー３４、３５が設定する。
【０００８】
また図２のごとく、定盤上の包袋２５の袋口を支えるシール台２６に対し、シールバー２７は加圧手段に支えて対向するが、かかる加圧手段を構成するカップ型チャンバー２８内のダイヤフラム２９に前記シールバー２７を連結し、ダイヤフラム２９の下域を負圧化することによつて、差圧により前記シールバー２７はシール台２６に袋口を挟圧して加熱シールするのである。
【０００９】
図１において前記真空ポンプ２０に逆止弁３６を介して連結するタンク３７は、前記ポンプの余剰能力でもって常時真空化しているが、前記タンク３７と両耐圧蓋にそれぞれ設置するカップ型チヤンバー２８それぞれとを吸引ライン３８、３９を介して連結すると共に、これらラインにそれぞれ電磁式のオン．オフ弁４１、４２を介設する。なおこれらオン．オフ弁４１、４２の切換えのタイミングはタイマー４３、４４が設定する。
【００１０】
図１において一側の耐圧蓋１１を定盤１０の上面に被せると、該蓋に固定したリミットスイッチ５０は定盤１０の抵抗によって閉鎖する。つまり図３における電源回路のリミットスイッチ５０が閉鎖し、リレー５１への通電により閉鎖するスイッチ５２を通してコイル５３が励磁(図１のメーン開閉弁３１開放)する結果、前記一側の耐圧蓋１１の内部空間が真空環境に変化し始め、同時に図３の第１タイマ３４が経時積算を開始する。そこで、図１における前記タイマー３４が積算中に、他側の耐圧蓋１２の下に、被包装物を収容する包袋２５をシール台２６に合せて載置したあと、同耐圧蓋１２を封鎖(同時に図１及び図３の別個のリミットスイッチ６０閉鎖)する。第１タイマー３４の設定時間は大体１０秒程度であるから、その間での別面への包袋載置作業には充分な余裕がある。
【００１１】
その後、図３での前記第１タイマー３４の設定時間に達すると、常閉スイッチ５４が開放し、コイル５３の消磁により第１開閉弁３１を閉鎖して一側の耐圧蓋１１内の真空吸引が停止すると、同時に、前記タイマー３４が他側の開閉器６０と直列のスイッチ５５を閉路する結果、第２のリレー５６はスイッチ５７を閉じてコイル５８への通電を開始するので、図１におけるメーン開閉器３２が開放して他側の耐圧蓋１２内の真空吸引を開始する。
【００１２】
一方、前記第１タイマー３４の設定経時と同時にスイッチ６１を閉じてコイル６２を通電するので、図１のオン．オフ弁４１は開放し、真空タンク３７によりカップ型チヤンバー２８内に差圧を形成して袋口のシールを開始する。この場合、耐圧蓋１１内部は真空が保たれているので、シール圧により同蓋１１が押し開かれることはない。シール時間設定用の第２のタイマー４３が積算を終了することにより、常閉スイッチ６４は開放して図１のオン．オフ弁４１を封鎖し、同時にスイッチ６５の閉鎖で励磁するコイル６６は、図１の大気弁３３を開放セクションに切り替えるので、第１耐圧蓋１１内に大気圧が作用し当該サイドの真空包装は完了する。
【００１３】
既に開始されている第２の耐圧蓋１２への真空吸引と同時に積算を開始している第３のタイマー３５が積算中、図１における第１耐圧蓋１０の下への包袋の載置準備が進む。そのご前記第３タイマー３５の設定経時が終了すると、常閉スイッチ６８は開放し第２のメーン開閉器３２を閉鎖する。同時にスイッチ６９の閉鎖でタイマー４４を作動しながらコイル７１の励磁で、図１での第２オン．オフ弁４２を開放してシール作用を行い、前記タイマー４４の設定完了によりスイッチ７２を閉じてコイル７３の励磁、つまり第２の大気弁３４を大気開放セクションに切り替える。なお前記タイマー４４の積算と同時に上部のスイッチ７５が閉じ、リレー７６によりスイッチ７７を通してコイル５３を励磁するので、第１メーン開閉弁３１が開放し第１耐圧蓋１１内での真空吸引が再び開始する。
【００１４】
以上の結果、図４に示すごとく一側での真空８０が終了と同時に、他側の真空８１が始まり、この真空が終了するのを待って一側の真空８２を開始できるので、明細書冒頭に説明した従来装置の、一側のシール８３が完了しないと、他側の真空８１を開始できなかった構成にくらべて能率はアップする。
【００１５】
図５はシール加圧手段のことなる実施形態で、耐圧蓋８５にシールバー８６を設置する一方、定盤８７の上面に、空気袋８８を介してシール台８９を設置し、ポート９０から真空吸引を行いながら、前記空気袋８８への空気供給でシシール台８９を押上げ、包袋９１の袋口を加圧シールする構成である。
【図面の簡単な説明】
【図１】  真空ラインを現す全体正面図
【図２】  真空チャバー側視断面図
【図３】  制御用電気回路図
【図４】  作用の説明図
【図５】  シールバー加圧手段説明図
【符号の説明】
１０…定盤
１１、１２…耐圧蓋
２０…真空ポンプ
２１、２２…真空ライン
２３、２４…真空弁
２５…包袋
２６、８９…シール台
２７、８９…シールバー
２８、８８…加圧手段
３１、３２…メーン開閉弁
３３、３４…大気弁
３４、３５…タイマー
３７…真空タンク
３８、３９…吸引ライン
４１、４２…オン．オフ弁
【図１】
0003883451.tif 000002
【図２】
0003883451.tif 000003
【図３】
0003883451.tif 000004
【図４】
0003883451.tif 000005
【図５】
0003883451.tif 000006